(57)【要約】  浮遊固形分含有量の少ない溶液の製造のためのシステムおよび方法は、カラム（１０）を使用し、ここで、溶媒は少なくとも１回該カラム（１０）を通過させられる。該カラム（１０）は、少なくとも１つの大きさの直径を有する粉砕された軟体動物殻（２０、２１）からなる充填固体を含む。最終的な溶液は清浄化剤および殺菌剤として有効な用途を有し、皮膚病および体の他の病気の治療に有益であることもわかっている。さらに、殻は、粉砕して医療に有用な軟膏の製造に有効成分として使用することができる。【特許請求の範囲】
【請求項１】
溶液から浮遊固形分を除去する方法であって、該溶液を粉砕された軟体動物殻粒子（２０、２１）を収容したフィルタ／抽出カラム（１０）に通して繰り返しろ過することを含む、方法。
【請求項２】
該溶液が水である、請求項１に記載の方法。
【請求項３】
該粉砕された軟体動物殻粒子（２０、２１）が、フィルタ／抽出カラム（１０）への配置の前に、約１００℃の温度で約１５分間にわたって煮沸される、請求項１または２に記載の方法。
【請求項４】
該粉砕された軟体動物殻粒子（２０、２１）が、フィルタ／抽出カラム（１０）への配置の前に、約３００℃の温度で約１．５分間にわたって焼成される、請求項１〜３のいずれか１項に記載の方法。
【請求項５】
溶液から浮遊固形分を除去するための装置であって、フィルタ／抽出カラム（１０）、該フィルタ／抽出カラム（１０）の一端に設置された流体注入口（１１）および該フィルタ／抽出カラム（１０）の他端に設置された流体排出口（１３）を含み、該フィルタ／抽出カラム（１０）が粉砕された軟体動物殻粒子（２０、２１）を収容する、装置。
【請求項６】
流体注入口（１１）の近くでフィルタ／抽出カラム（１０）の一端に着脱可能に接続された第１スクリーン（１４）と、流体排出口（１３）の近くでフィルタ／抽出カラム（１０）の対向端に着脱可能に接続された第２スクリーン（１４）とをさらに含む、請求項５に記載の装置。
【請求項７】
溶液から浮遊固形分を除去するための装置であって、溶液からの浮遊固形分の除去に有効な操作可能な配置で接続された、複数の請求項５または６に記載の装置を含む、装置。
【請求項８】
２つの直列に配置されたフィルタ／抽出カラム（１０）を含み、第１フィルタ／抽出カラム（１０）が粉砕された軟体動物殻粒子（２０、２１）を収容し、第２フィルタ／抽出カラム（１０）が酸化鉄またはヘマタイトでプレコーティングされた粉砕された軟体動物殻粒子（２４）を収容する、請求項７に記載の装置。
【請求項９】
請求項１〜４のいずれか１項に記載の方法によって製造された溶液。
【請求項１０】
カルシウムの濃度が１４ｍｇ／Ｌを超える、請求項９に記載の溶液。
【請求項１１】
カルシウムの濃度が２０ｍｇ／Ｌを超える、請求項９または１０に記載の溶液。
【請求項１２】
該溶液のｐＨが８．０〜９．７である、請求項９〜１１のいずれか１項に記載の溶液。
【請求項１３】
該溶液の濁度が６ＮＴＵ未満である、請求項９〜１２のいずれか１項に記載の溶液。
【請求項１４】
前記溶液の有効性と両立する量のＮａＯＨをさらに含む、請求項９〜１３のいずれか１項に記載の溶液。
【請求項１５】
該溶液に対するＮａＯＨの割合が０．４重量％である、請求項１４に記載の溶液。
【請求項１６】
ユーセリンおよびワセリンからなる群から選択される賦形剤をさらに含む、請求項９〜
１３のいずれか１項に記載の溶液。
【請求項１７】
請求項９〜１５のいずれか１項に記載の溶液の、清浄化剤としての使用。
【請求項１８】
請求項１６に記載の溶液の、皮膚病の治療のための使用。
【発明の詳細な説明】
【技術分野】
【０００１】
発明の分野
本発明は、一般に、溶液を軟体動物由来の粉砕された殻を含むカラムに通してろ過することによって、低浮遊固形分溶液を製造するシステムおよび方法に関する。より具体的には、本発明は、清浄化特性、殺菌特性および医療特性を有する低浮遊固形分溶液の製造システムおよび方法に関する。さらに、本発明は、粉砕された殻の組成物をその一部として含む、医療に有用な軟膏の調製方法に関する。
【背景技術】
【０００２】
発明の背景
軟体動物由来の殻は、世界中の漁場から産業廃棄物として発生している。この殻廃棄物は、慣例的に海中に投下されている。しかし、殻は、カルシウム源として、また抗菌剤を得るために、さらに水の浄化のために有効利用されてきた。ホタテ貝、カキ、ハマグリその他の軟体動物の殻から得られる粉末や、このような粉末を含む溶液が、抗菌特性および抗ウイルス特性、ならびに浄水剤としての用途を有することが示されてきた。また、上記の粉末が、殺菌のための消臭剤として、防腐剤として、ならびに選択された医薬用途に適用された場合に、有用な特性を示したこともわかっている。
【０００３】
殻粉末の抗菌特性は、例えば、皮膚糸状菌症の治療（米国特許出願第２００４／００２８７４８号）、歯周病の治療（欧州特許出願第１６７６５８３号）またはアトピー性皮膚炎による病変、乾癬による病変に起因する炎症の緩和、および腎臓透析（特願２００４−２５６７８５号）において、充分に証明され、試験されている。殻粉末はまた、真菌の繁殖によって引き起こされる足白癬（水虫）を治療することが示された石鹸にも使用され得る。
【０００４】
特願平０５−２６７８０７号（Ｕｅｄａら）は、殻の化石の粉末を海底に散布して汚染水や川底を浄化することにより、汚染水や川底、湖底、海底および湾底を浄化する方法を記載している。
【０００５】
特願平０８−３１６９３５号（Ｓｕｚｕｋｉら）は、水を浄化するための、焼成された殻から製造された多孔質材料を記載している。この材料は、有効に水を浄化することが示されており、大規模な浄水に有効に適用され得る。
【０００６】
Ｓａｓａｙａによる特願平１１−３２８７０２号は、炭酸カルシウムの方解石型構造からなる結晶構造を有するホタテ貝の殻を粉砕することによって得られる消臭剤を開示している。
【０００７】
Ｓａｓａｋｉらによる米国特許第６，３６５，１９３号および米国特許第６，４８８，９７８号は、燃焼した殻を抗菌剤および浄水剤として使用できることを開示している。Ｓａｓａｋｉらは、不活性ガス雰囲気下で殻を加熱し、殻を燃焼させることを開示している。特に、抗菌剤は、不活性ガス雰囲気下でホッキ貝の殻由来の粉末を燃焼させて得られる。この粉末は、容易に水、特に温水に溶解し得、抗菌溶液として使用される。
【０００８】
上記のような殻の使用は、殻の特性が利用され得る広範囲な適用を示している。毎年生産される大量の殻廃棄物を管理し削減するために、殻材料の新たな使用を指向したさらなる開発が望まれ、必要とされている。
【発明の概要】
【発明が解決しようとする課題】
【０００９】
上記の用途のほとんどは、軟体動物の殻から得られた粉末の使用または高温かつ特別な条件下での熱処理を必要とし、その結果、これらのいずれもが、高価な設備や実施のための複雑な設定手順を必要とする。さらに、粉末が水に溶解する際に、該粉末が時間の経過とともにその活性を失う傾向があることもわかっている。
【００１０】
発明の概要
本発明は、人体に対して安全で環境に優しい、主にカルシウムを含む低浮遊固形分殻抽出物を得るための簡単な方法を提供することを目的とする。この低浮遊殻抽出物は、殻の抗菌特性を受け継ぎ、これまでに示されてきたように、清浄化剤および殺菌剤として、または皮膚病の治療のために有効に適用することができる。得られる溶液も、流体として、または固体性あるいはマスチック構造を与えるための適切な賦形剤と混合して使用することができる。
【００１１】
さらに、本発明のシステムおよび方法は簡単で、経済的に有利であるために、工業的にさらに大規模に汚染水の清浄化および浄化に適用することができる。
【課題を解決するための手段】
【００１２】
本発明の１つの態様によれば、溶液から浮遊固形分を除去する方法であって、該溶液を粉砕された軟体動物殻粒子を収容したフィルタ／抽出カラムに通して繰り返しろ過することを含む、方法が提供される。
【００１３】
本発明の別の態様によれば、溶液から浮遊固形分を除去するための装置であって、フィルタ／抽出カラム、該フィルタ／抽出カラムの一端に設置された流体注入口および該フィルタ／抽出カラムの他端に設置された流体排出口を含み、該フィルタ／抽出カラムが粉砕された軟体動物殻粒子を収容する、装置が提供される。
【００１４】
本発明のさらなる態様によれば、溶液から浮遊固形分を除去するための装置が提供される。この装置は、前記浮遊固形分の除去のために有効に組み立てられた、フィルタ／抽出カラム、該フィルタ／抽出カラムの一端に設置された流体注入口および該フィルタ／抽出カラムの他端に設置された流体排出口を含み得、該フィルタ／抽出カラムは粉砕された軟体動物殻粒子を収容する。
【００１５】
本発明の１つの好ましい態様によれば、２つの直列に配置されたフィルタ／抽出カラムを含む装置であって、第１フィルタ／抽出カラムが粉砕された軟体動物殻粒子を収容し、第２フィルタ／抽出カラムが酸化鉄またはヘマタイトでプレコーティングされた粉砕された軟体動物殻粒子を収容する、装置が提供される。
【００１６】
本発明の別の態様によれば、上記の方法で製造された低浮遊固形分溶液が提供される。
本発明のさらなる態様によれば、ユーセリン（登録商標）またはワセリンなどの担体と予め組み合わせられた、皮膚病の治療のための低浮遊固形分溶液の使用が提供される。
【００１７】
本発明の別の目的は、低浮遊固形分溶液のみ、または該溶液と０．４重量％の割合の水酸化ナトリウム（ＮａＯＨ）との混合物を含む清浄化剤組成物を提供することを模索する。この重量因子は、清浄化の有効性を維持しながらも当業者による決定に応じて変動し得る。
【００１８】
本発明の上記および他の特徴は、添付の図面からさらに明白になるであろう。
【図面の簡単な説明】
【００１９】
【図１】注入口、排出口および筐体部材を含む抽出カラムの断面図である。
【図２ａ】抽出カラムの上半分の分解断面図であり、空のカラム設定を描いたものである。
【図２ｂ】抽出カラムの上半分の分解断面図であり、充填部材で満たされたカラムを描いたものである。
【図３】抽出カラムの下半分の分解断面図であり、空のカラム設定を描いたものである。
【図４】２つの直列に配置された抽出カラムを含む装置の断面図を描いたものである。
【図５】殻抽出物の測定濁度を曝露時間とともに示す図である。
【図６】殻抽出物中で測定されたカルシウム量の増加を曝露時間とともに示す図である。
【発明を実施するための形態】
【００２０】
発明の詳細な説明
以下の説明は、本発明の可能性のある使用のうち１つだけを例示的に示した好ましい実施形態に関するものである。
【００２１】
図１は、注入口（１１）、排出口（１３）、２つのスクリーン（１４）および筐体部材（１２）を含むフィルタ／抽出カラム（１０）を描いたものである。筐体部材（１２）は、粉砕された軟体動物殻で満たされ得る通路（１２ａ）を画定する。
【００２２】
図２ａは、フィルタ／抽出カラム（１０）の上半分の分解図を描いたものであり、該フィルタ／抽出カラム（１０）は、上部カップリング（１６）、ねじ込み式ストッパ（１５）および該ストッパ（１５）に配置された排出口（１３）を含む。粉砕された軟体動物殻をフィルタ／抽出カラム（１０）に収容するために、筐体部材（１２）の上にスクリーン（１４）を配置してもよい。上部カップリング（１６）には、スクリーン（１４）を筐体部材に取り付けることができるように、カップリング内側リップ（１７）が装着されている。カラムの漏出を防ぐために、ケイ素などの交換可能なシール（１８）を使用することができる。
【００２３】
図２ｂは、抽出カラムの下半分の分解図を描いたものであり、該抽出カラムは、下部カップリング（１６）、ストッパ（１５）および該ストッパ（１５）に配置された注入口（１１）を含む。下部カップリングには、粉砕された軟体動物殻をフィルタ／抽出カラムに収容するためにスクリーン（１４）を筐体部材（１２）に取り付けることができるように、カップリング内側リップ（１７）を装着することができる。注入口（１１）は、プラスチック弁や、カラムに溶媒を供給するために使用されるポンプに接続するように設計されている。カラムの漏出を避けるために、交換可能なケイ素シール（１８）を使用することができる。
【００２４】
図３は、注入口（１１）、排出口（１３）、上下の全く同じスクリーン（１４）および筐体部材（１２）を含むフィルタ／抽出カラム（１０）を描いたものである。筐体部材（１２）は粉砕された軟体動物殻粒子を収容し、この粒子の大きさは等しくても異なっていてもよい。図３に示す１つの実施形態においては、筐体部材はその底部に、直径０．５〜１ｍｍの粉砕された殻粒子（２０）および直径３〜４ｍｍの粉砕された殻粒子（２１）を収容している。しかし、粉砕された軟体動物殻は、大体等しい粒子の大きさおよび／または１つもしくは複数の区域においてフィルタ／抽出の必要性に応じて通路に沿って分布した粒子の大きさを有し得る。１つの区域は、ほぼ同じ直径の粉砕された殻粒子を含むものと定義される。粉砕された殻粒子のカラムへの充填は、望ましい勾配に従った規則的な分
布または不規則な分布に従い得る。粉砕の前に、殻に約３００℃の温度で約１．５分間にわたる熱処理を適用することができる。
【００２５】
図４は、本発明による装置（１）の断面図を描いたものであり、少なくとも２つの直列に配置されたフィルタ／抽出カラム（２、３）を含む。この２カラム装置（１）において、フィルタ／抽出カラムは、第１カラム（２）の排出口（１３）が接続チューブ（２３）によって第２カラム（３）の注入口（１１）に接続されるように、線形に配置されている。第１カラム（２）の筐体部材（１２）は、その底部に直径０．５〜１ｍｍの粉砕された殻粒子（２０）を収容し得、その後に直径３〜４ｍｍの粉砕された殻粒子（２１）を収容し得る。第２カラム（３）の筐体部材（１２）は、酸化鉄またはヘマタイトでコーティングされた粉砕された殻粒子（２４）を収容してもよい。粉砕された殻粒子を酸化鉄またはヘマタイトでコーティングすることは、装置（１）を通過する水中の金属含有量を低下させることによって、フィルタ／抽出カラムの浄水特性を実質的に改善し得ると考えられる。フィルタ／抽出カラム装置（１）を通過した水の分析によって、汚染水中のアルミニウムおよび砒素の含有量がほぼゼロであることが示された。
【００２６】
本発明の実施において、殻は漁船を降りてすぐに回収され、運搬箱に入れられる。殻は次いでワイヤブラシつきの電気ドリルで清浄化され、高圧下で充分に水洗され、確実に有効に清浄化される。清浄化工程および洗浄工程に次いで、殻を周囲温度まで冷却するのに必要な長さの時間にわたって殻を金網台上に静置する冷却工程を設けてもよい。次の工程で、殻は直径１、２、３、４ｍｍの粒子に粉砕される。ほぼ同じ直径の粒子または直径の異なる粒子の混合物を、本発明によるフィルタ／抽出カラムにおいて使用することができる。
【００２７】
清浄化剤の有効性は、溶媒のｐＨや、抽出カラムの充填部材を形成する粉砕された殻の粒径などのいくつかの要素によって決まる。フィルタ／抽出カラム（１０）に蒸留水を通過させることによって、他のパラメータの中でも特に抽出物の濁度、カルシウム含有量および浮遊固形分を制御することができる。通過の回数および水の流量は、洗浄化効果などの清浄化剤の特性を決定する。粉砕された殻の粒径は、清浄化剤の有効性に反比例することが示されている。例えば、清浄化剤として有効な低浮遊固形分溶液を製造するために、粉砕された殻の粒径は０．５〜４ｍｍであることが好ましく、より好ましくは０．５〜２ｍｍである。
【００２８】
図５は、以下に詳述する実験１で測定された濁度対曝露時間を示す。溶液の測定濁度は、フィルタ／抽出カラムの曝露時間に従って低下することがわかるであろう。濁度は、溶媒が抽出カラムを通過した後ごとに測定された。１２時間の曝露時間の後、殻抽出物の測定濁度は約２．２ＮＴＵであった。上記の濁度の各測定値は、各通過後の殻抽出物中の浮遊固形分量の測定値と相関している。従って、実験１の表１に示すように、溶媒がフィルタ／抽出カラムを初めて通過した後、浮遊固形分の量は時間の経過とともに６ｍｇ／Ｌから減少し、１２時間後に約０ｍｇ／Ｌとなる。
【００２９】
図６は、水が抽出カラムを通過した後ごとに測定されたカルシウムの量対曝露時間を示す。最終の殻抽出物は、出発溶媒よりも約１２１倍多いカルシウムを含有している。殻抽出物のカルシウム含有量は、１４ｍｇ／Ｌを超えることが好ましく、２０ｍｇ／Ｌを超えることがより好ましい。清浄化剤の有効性に影響し得る他の要素は、殻抽出物のｐＨおよび濁度である。清浄化の結果を最適化するためには、殻抽出物のｐＨは８．０〜９．７でなくてはならず、濁度は６ＮＴＵ未満でなくてはならない。
【実施例１】
【００３０】
実験１
図１に示すように、両端を閉じる２つのカップリングを有する直径６インチ、長さ４フィートのＰＶＣ管で、抽出カラム（１０）を構成した。上部カップリングは、そこに接続された３／４インチのプラスチック製チューブがねじ込まれた９０°の肘部を有していた。上部カップリングおよびそこに接続されたプラスチック製チューブは、本発明による排出口（１３）を表す。
【００３１】
構成された下部カップリングは、カップリングストッパにねじ込まれた直線アダプタを有しており、本発明による注入口（１１）を表すプラスチック製チューブに接続されていた。カラムの注入口に１２Ｖ、３６０ガロン／時のポンプを接続し、カラムに蒸留水を通すために使用した。カラムの上部と下部とは、下部カップリングがプラスチック弁に接続された３／４のプラスチック製チューブを有する３／４のニップルと１２Ｖのポンプとを有していたことを除いて、同じように設計された。図１に示す２つのスクリーン（１４）は、粉砕されたホタテ貝の殻を通路（１２ａ）内に保持するために使用した。
【００３２】
粉砕された殻の組成物は、直径０．５および１ｍｍのホタテ貝の殻粒子の混合物からなっていた。小さい方の粒子の質量は約１０ｋｇであり、カラムは、上部カップリングのスクリーン（１４）から２インチ以内まで満たされた。カラムの残りの部分を、３および４ｍｍの直径が大きい方の粒子で満たした。
【００３３】
蒸留水の初回の通過後に、殻抽出物は高い浮遊固形分濃度を有していた。浮遊固形分濃度は、曝露時間とともに小さくなることがわかった。表１は、Ｈａｃｈ  ＣｏｍｐａｎｙのＤＲ−２４００分光計で測定した溶液中の浮遊固形分濃度を示す。この浮遊固形分の測定方法は、重量分析手順が必要としているようなろ過または点火／計量工程を必要としない簡単で直接的な測定である。米国環境保護庁は固形分の測定のために重量分析法を指定しているが、この方法は、しばしば工場内での過程の確認に使用される。試験結果は８１０ｎｍで測定される。この方法は、Ｈａｃｈ  Ｗａｔｅｒ  Ａｎａｌｙｓｉｓ  Ｈａｎｄｂｏｏｋ、方法８００６、９６３ページに記録されている。
【００３４】
【表１】
2010508142.tif 000002
【００３５】
浮遊固形分濃度を測定する分光法の精度を、Ｈａｃｈ  Ｗａｔｅｒ  Ａｎａｌｙｓｉｓ
Ｈａｎｄｂｏｏｋ、方法８２７１、９４７ページに記載されている重量分析法と比較した。アルミニウム皿の質量を、Ｓｃｉｅｎｔｅｃｈ  １２０分析用天秤で直近の１ｍｇま
で測定した。溶液から１００ｍＬの試料をインサイチュで採取して、アルミニウム皿に載せた。試料を載せた皿を予熱したオーブンに入れ、約６時間にわたって１０３〜１０５℃で蒸発させた。この皿を次いでオーブンから取り出し、デシケータ内で室温で放冷した。試料を載せた皿を次いでデシケータから取り出し、Ｓｃｉｅｎｔｅｃｈ  １２０分析用天秤で直近の０．１ｍｇまで質量測定を行った。これは、試料の初回の質量測定であった。この皿と試料とを再び１時間にわたって予熱したオーブンに入れ、結果の相違が０．４ｍｇを超えなくなるまで質量測定を行った。質量の２回目の測定を上記と同様にして行った。以下の表２は、重量分析法によって測定された溶液中の浮遊固形分濃度を示す。
【００３６】
【表２】
2010508142.tif 000003
【００３７】
【数１】
2010508142.tif 000004
【００３８】
式中：
Ａ＝試料＋トレーの重量（ｍｇ）
Ｂ＝皿の重量（ｍｇ）
【００３９】
【数２】
2010508142.tif 000005
【００４０】
式中：
Ｄｈ＝得られたデータ結果の最高の数値
Ｄ１＝得られたデータ結果の最低の数値
【実施例２】
【００４１】
実験２
実験１に上記したように、２つの抽出カラムを構成した（図４参照）。２つのカラムを、第１カラムの排出口を第２カラムの注入口に直接接続して、直列に配置した。第１カラムの注入口に１２Ｖ、３６０ガロン／時のポンプを接続し、第１および第２カラムに蒸留水を通すために使用した。
【００４２】
第１カラムの充填部材は、小さい方の直径０．５および１ｍｍのホタテ貝の殻粒子の混合物から製造されたものであった。小さい方の粒子の質量は約１０ｋｇであったが、カラムは、上部カップリングのスクリーン（１４）より２インチ低いところに満たされなくてはならなかった。カラムの残りの部分を、実験１に記載のとおり、３および４ｍｍの直径が大きい方の粒子で満たした。
【００４３】
第２カラムの充填部材は、酸化鉄またはヘマタイト（Ｆｅ２Ｏ３）でコーティングされた粉砕されたホタテ貝の殻粒子から製造されたものであった。粉砕された殻粒子の酸化鉄でのコーティングは、当業者に既知のいかなる方法によっても行うことができる。本発明では、ホタテ貝殻のコーティングは、殻を酸化鉄またはヘマタイトに４時間浸漬し、次いで殻と溶液とを２００℃で４時間焼成することによって行われる。次いで、殻を蒸留水で洗浄し、２００℃のオーブンで３時間乾燥させなくてはならない。
【００４４】
アルミニウムおよび砒素の含有量が高い汚染水を、直列に配置された２つの抽出カラムを含む装置を通過させた。得られた水溶液のアルミニウムおよび砒素含有量が０ｍｇ／Ｌまで減少したことが、実際に見出された。
【産業上の利用可能性】
【００４５】
本発明は、溶液を軟体動物由来の粉砕された殻を含むカラムに通してろ過することによって、低浮遊固形分溶液を製造するシステムおよび方法を提供する。上記システムおよび方法の利用の結果として、数々の特性を有する溶液が得られる。特に、この溶液は、清浄化剤および殺菌剤として有効に提供され得るとともに、様々な皮膚病の治療に有効である。さらに、本発明は、世界中の漁場から大量に発生する産業廃棄物である軟体動物殻に用途を提供する。
【図１】
2010508142.tif 000006
【図２ａ】
2010508142.tif 000007
【図２ｂ】
2010508142.tif 000008
【図３】
2010508142.tif 000009
【図４】
2010508142.tif 000010
【図５】
2010508142.tif 000011
【図６】
2010508142.tif 000012
【手続補正書】
【提出日】平成20年8月28日(2008.8.28)
【手続補正１】
【補正対象書類名】明細書
【補正対象項目名】００２２
【補正方法】変更
【補正の内容】
【００２２】
図２ａは、フィルタ／抽出カラム（１０）の上半分の図を描いたものであり、該フィルタ／抽出カラム（１０）は、上部カップリング（１６）、ねじ込み式ストッパ（１５）および該ストッパ（１５）に配置された排出口（１３）を含む。粉砕された軟体動物殻をフィルタ／抽出カラム（１０）に収容するために、筐体部材（１２）の上にスクリーン（１４）を配置してもよい。上部カップリング（１６）には、スクリーン（１４）を筐体部材に取り付けることができるように、カップリング内側リップ（１７）が装着されている。カラムの漏出を防ぐために、ケイ素などの交換可能なシール（１８）を使用することができる。
【手続補正２】
【補正対象書類名】明細書
【補正対象項目名】００２３
【補正方法】変更
【補正の内容】
【００２３】
図２ｂは、抽出カラムの下半分の図を描いたものであり、該抽出カラムは、下部カップリング（１６）、ストッパ（１５）および該ストッパ（１５）に配置された注入口（１１）を含む。下部カップリングには、粉砕された軟体動物殻をフィルタ／抽出カラムに収容するためにスクリーン（１４）を筐体部材（１２）に取り付けることができるように、カップリング内側リップ（１７）を装着することができる。注入口（１１）は、プラスチック弁や、カラムに溶媒を供給するために使用されるポンプに接続するように設計されている。カラムの漏出を避けるために、交換可能なケイ素シール（１８）を使用することができる。
【手続補正３】
【補正対象書類名】明細書
【補正対象項目名】００２４
【補正方法】変更
【補正の内容】
【００２４】
図３は、注入口（１１）、排出口（１３）、上下の全く同じスクリーン（１４）および筐体部材（１２）を含むフィルタ／抽出カラム（１０）を描いたものである。筐体部材（１２）は粉砕された軟体動物殻粒子を収容し、この粒子の大きさは等しくても異なっていてもよい。図３に示す１つの実施形態においては、筐体部材はその底部に、直径０．５〜１ｍｍの粉砕された殻粒子（２０）および直径３〜４ｍｍの粉砕された殻粒子（２１）を収容している。しかし、粉砕された軟体動物殻は、１つもしくは複数の区域においてフィルタ／抽出の必要性に応じて通路に沿って分布した大体等しい大きさの粒子を有し得る。１つの区域は、ほぼ同じ直径の粉砕された殻粒子を含むものと定義される。粉砕された殻粒子のカラムへの充填は、望ましい勾配に従った規則的な分布または不規則な分布に従い得る。粉砕の前に、例えば、約３００℃の温度で約１．５分間にわたって殻を加熱することによって、および／または約１００℃の温度で約１５分間にわたって殻を煮沸することによって、殻に熱処理を適用することができる。
【手続補正４】
【補正対象書類名】明細書
【補正対象項目名】００２５
【補正方法】変更
【補正の内容】
【００２５】
図４は、本発明による装置（１）の断面図を描いたものであり、少なくとも２つの直列に配置されたフィルタ／抽出カラム（２、３）を含む。この２カラム装置（１）において、フィルタ／抽出カラムは、第１カラム（２）の排出口（１３）が接続チューブ（２３）によって第２カラム（３）の注入口（１１）に接続されるように、連続的に配置されている。第１カラム（２）の筐体部材（１２）は、その底部に直径０．５〜１ｍｍの粉砕された殻粒子（２０）を収容し得、その後に直径３〜４ｍｍの粉砕された殻粒子（２１）を収容し得る。第２カラム（３）の筐体部材（１２）は、酸化鉄またはヘマタイトでコーティングされた粉砕された殻粒子（２４）を収容してもよい。粉砕された殻粒子を酸化鉄またはヘマタイトでコーティングすることは、装置（１）を通過する水中の金属含有量を低下させることによって、フィルタ／抽出カラムの浄水特性を実質的に改善し得ると考えられる。フィルタ／抽出カラム装置（１）を通過した水の分析によって、汚染水中のアルミニウムおよび砒素の含有量がほぼゼロであることが示された（図示せず）。
【手続補正５】
【補正対象書類名】明細書
【補正対象項目名】００３０
【補正方法】変更
【補正の内容】
【００３０】
実験１
図１に示すように、両端を閉じる２つのカップリングを有する直径６インチ、長さ４フィートのＰＶＣ管で、抽出カラム（１０）を構成した。上部カップリングは、そこに接続された３／４インチのプラスチック製チューブがねじ込まれた９０°の肘部を有していた。上部カップリングおよびそこに接続されたプラスチック製チューブは、本発明の一態様による排出口（１３）を表す。
【手続補正６】
【補正対象書類名】明細書
【補正対象項目名】００３１
【補正方法】変更
【補正の内容】
【００３１】
構成された下部カップリングは、カップリングストッパにねじ込まれた直線アダプタを有しており、本発明の一態様による注入口（１１）を表すプラスチック製チューブに接続
されていた。カラムの注入口に１２Ｖ、３６０ガロン／時のポンプを接続し、カラムに蒸留水を通すために使用した。カラムの上部と下部とは、下部カップリングがプラスチック弁に接続された３／４のプラスチック製チューブを有する３／４のニップルと１２Ｖのポンプとを有していたことを除いて、同じように設計された。図１に示す２つのスクリーン（１４）は、粉砕されたホタテ貝の殻を通路（１２ａ）内に保持するために使用した。
【手続補正７】
【補正対象書類名】特許請求の範囲
【補正対象項目名】全文
【補正方法】変更
【補正の内容】
【特許請求の範囲】
【請求項１】
溶液から浮遊固形分を除去する方法であって、該溶液を粉砕された軟体動物殻粒子（２０、２１）を収容したフィルタ／抽出カラム（１０）に通して繰り返しろ過することを含み、該殻粒子（２０、２１）が、フィルタ／抽出カラム（１０）への配置の前に焼成および／または煮沸される、方法。
【請求項２】
該溶液が水である、請求項１に記載の方法。
【請求項３】
該粉砕された軟体動物殻粒子（２０、２１）が、約１００℃の温度で約１５分間にわたって煮沸される、請求項１または２に記載の方法。
【請求項４】
該粉砕された軟体動物殻粒子（２０、２１）が、約３００℃の温度で約１．５分間にわたって焼成される、請求項１〜３のいずれか１項に記載の方法。
【請求項５】
溶液から浮遊固形分を除去するための装置であって、フィルタ／抽出カラム（１０）、該フィルタ／抽出カラム（１０）の一端に設置された流体注入口（１１）および該フィルタ／抽出カラム（１０）の他端に設置された流体排出口（１３）を含み、該フィルタ／抽出カラム（１０）が粉砕された軟体動物殻粒子（２０、２１）を収容する、装置。
【請求項６】
流体注入口（１１）の近くでフィルタ／抽出カラム（１０）の一端に着脱可能に接続された第１スクリーン（１４）と、流体排出口（１３）の近くでフィルタ／抽出カラム（１０）の対向端に着脱可能に接続された第２スクリーン（１４）とをさらに含む、請求項５に記載の装置。
【請求項７】
溶液から浮遊固形分を除去するための装置であって、溶液からの浮遊固形分の除去に有効な操作可能な配置で接続された、複数の請求項５または６に記載の装置を含む、装置。
【請求項８】
２つの直列に配置されたフィルタ／抽出カラム（１０）を含み、第１フィルタ／抽出カラム（１０）が粉砕された軟体動物殻粒子（２０、２１）を収容し、第２フィルタ／抽出カラム（１０）が酸化鉄またはヘマタイトでプレコーティングされた粉砕された軟体動物殻粒子（２４）を収容する、請求項７に記載の装置。
【請求項９】
請求項１〜４のいずれか１項に記載の方法によって製造された溶液。
【請求項１０】
カルシウムの濃度が１４ｍｇ／Ｌを超える、請求項９に記載の溶液。
【請求項１１】
カルシウムの濃度が２０ｍｇ／Ｌを超える、請求項９または１０に記載の溶液。
【請求項１２】
該溶液のｐＨが８．０〜９．７である、請求項９〜１１のいずれか１項に記載の溶液。
【請求項１３】
該溶液の濁度が６ＮＴＵ未満である、請求項９〜１２のいずれか１項に記載の溶液。
【請求項１４】
前記溶液の有効性と両立する量のＮａＯＨをさらに含む、請求項９〜１３のいずれか１項に記載の溶液。
【請求項１５】
該溶液に対するＮａＯＨの割合が０．４重量％である、請求項１４に記載の溶液。
【請求項１６】
ユーセリンおよびワセリンからなる群から選択される賦形剤をさらに含む、請求項９〜１３のいずれか１項に記載の溶液。
【請求項１７】
請求項９〜１５のいずれか１項に記載の溶液の、清浄化剤としての使用。
【請求項１８】
請求項１６に記載の溶液の、皮膚病の治療のための使用。
【国際調査報告】
2010508142.tif 000013
2010508142.tif 000014
2010508142.tif 000015
2010508142.tif 000016